(57)【要約】【課題】カーテンウォールとしてのＰＣａ版を簡便かつ確実に取り付ける。【解決手段】ＰＣａ版４の上部のみを上階の梁２の側部に一体化せしめて当階の躯体とは面内相対変位可能に絶縁することにより、ＰＣａ版をスウェイ可能な状態で各階に取り付ける。上部内面側に接合部材を設けたＰＣａ版を建て込んで仮支持し、ＰＣａ版の側部内面に絶縁材を設け、ＰＣａ版の内側に型枠を組み立て、コンクリートを打設する。ＰＣａ版は、接合部材としてのトラス鉄筋８、上階のＰＣａ版を支持してレベルを設定するための支持具、上下のＰＣａ版の相対変位を規制する対の係合具を設ける。支持具はアンカーにより定着されたインサートとそれに螺着されるレベルボルト９ｃおよび吊環からなる。係合具は幅方向に長い溝とそれに挿入されるピンからなる。【選択図】      図１
2005016077.tif 000002
【特許請求の範囲】
【請求項１】
少なくとも梁がＲＣ造ないしＳＲＣ造とされ、外壁がＰＣａ版からなるカーテンウォールとされる建物に適用される構造であって、ＰＣａ版の上部のみを上階の梁の側部に一体化せしめて当階の躯体とは面内相対変位可能に絶縁することにより、ＰＣａ版をスウェイ可能な状態で各階に取り付けることを特徴とする外壁の構造。
【請求項２】
請求項１記載の構造の外壁を施工するに際し、上部内面側に接合部材を設けたＰＣａ版を建て込んで仮支持するとともに、そのＰＣａ版の側部内面に絶縁材を設け、ＰＣａ版の側部内側に柱型枠を組み立てるとともに上部内側に梁型枠を組み立て、柱型枠内および梁型枠内にコンクリートを打設することにより、絶縁材によりＰＣａ版と絶縁した状態で柱を形成するとともに、接合部材によりＰＣａ版の上部と一体化した状態で梁を形成することを特徴とする外壁の施工方法。
【請求項３】
請求項１記載の構造の外壁に用いるＰＣａ版であって、上部内面側に接合部材としてのトラス鉄筋が半埋設状態で設けられているとともに、上端面には上階に設けられるＰＣａ版の下端面を支持してそのレベルを設定するための支持具が設けられ、かつ上端面と下端面には上下のＰＣａ版どうしの面内方向への相対変位を許容しつつ面外方向への変位を拘束する対の係合具が設けられていることを特徴とするＰＣａ版。
【請求項４】
請求項３記載のＰＣａ版であって、支持具は、アンカー部材により定着されたインサートと、インサートに螺着されるボルトからなり、かつインサートにはボルトに代えて吊環が螺着可能とされていることを特徴とするＰＣａ版。
【請求項５】
請求項３または４記載のＰＣａ版であって、対の係合具は、ＰＣａ版の幅方向に長い溝と、その溝に挿入されるピンからなることを特徴とするＰＣａ版。
【発明の詳細な説明】
【０００１】
【発明の属する技術分野】
本発明は、建物の外壁の構造とその施工方法、ならびにその構造の外壁を施工する際に用いるＰＣａ版に関する。
【０００２】
【従来の技術】
周知のように、建物の外壁としてカーテンウォールを採用する場合には、建物の変形に対してカーテンウォールの面内方向の変位を許容するべく、カーテンウォールを躯体に対してスウェイあるいはロッキング可能な状態で取り付ける必要がある。特に、カーテンウォールとしてＰＣａ版（プレキャストコンクリート版）を採用する場合には、たとえば特許文献１に示されるように、ＰＣａ版の上部および下部を躯体に対して変位可能に取り付けるとともに上下のＰＣａ版どうしを相互に連結するための特殊なファスナーを用いる必要がある。
【０００３】
【特許文献１】
特開２０００−３５２１９６号公報
【０００４】
【発明が解決しようとする課題】
しかし、上記のような特殊なファスナーを用いることはコスト高であるし、その施工も面倒であることから、カーテンウォールとしてのＰＣａ版をファスナーを用いることなくより簡便かつ確実に取り付けることのできる有効な手法の開発が望まれていた。
【０００５】
【課題を解決するための手段】
請求項１の発明は、少なくとも梁がＲＣ造ないしＳＲＣ造とされ、外壁がＰＣａ版からなるカーテンウォールとされる建物に適用される構造であって、ＰＣａ版の上部のみを上階の梁の側部に一体化せしめて当階の躯体とは面内相対変位可能に絶縁することにより、ＰＣａ版をスウェイ可能な状態で各階に取り付けることを特徴とする。
【０００６】
請求項２の発明は、請求項１の発明の構造の外壁を施工するに際し、上部内面側に接合部材を設けたＰＣａ版を建て込んで仮支持するとともに、そのＰＣａ版の側部内面に絶縁材を設け、ＰＣａ版の側部内側に柱型枠を組み立てるとともに上部内側に梁型枠を組み立て、柱型枠内および梁型枠内にコンクリートを打設することにより、絶縁材によりＰＣａ版と絶縁した状態で柱を形成するとともに、接合部材によりＰＣａ版の上部と一体化した状態で梁を形成することを特徴とする。
【０００７】
請求項３の発明は、請求項１の発明の構造の外壁に用いるＰＣａ版であって、上部内面側に接合部材としてのトラス鉄筋が半埋設状態で設けられているとともに、上端面には上階に設けられるＰＣａ版の下端面を支持してそのレベルを設定するための支持具が設けられ、かつ上端面と下端面には上下のＰＣａ版どうしの面内方向への相対変位を許容しつつ面外方向への変位を拘束する対の係合具が設けられていることを特徴とする。
【０００８】
請求項４の発明は、請求項３の発明のＰＣａ版であって、支持具は、アンカー部材により定着されたインサートと、インサートに螺着されるボルトからなり、かつインサートにはボルトに代えて吊環が螺着可能とされていることを特徴とする。
【０００９】
請求項５の発明は、請求項３または４の発明のＰＣａ版であって、対の係合具は、ＰＣａ版の幅方向に長い溝と、その溝に挿入されるピンからなることを特徴とする。
【００１０】
【発明の実施の形態】
本発明の一実施形態を図１〜図７を参照して説明する。本実施形態はＲＣ造の建物への適用例であって、符号１は柱、２は梁、３はスラブであり、４は外壁を形成しているカーテンウォールとしてのＰＣａ版である。符号２１は施工時の仮設サポート、１２は同じくライナーである。本実施形態では、ＰＣａ版４を躯体に取り付けるためのファスナーを用いることなく、ＰＣａ版４の上部のみを上階の梁２の側部に対して直接的に一体化してこの階の躯体に対しては固定せず、スウェイ可能な状態で支持するようにしている。
【００１１】
すなわち、本実施形態では、図１〜図３に示すように、ＰＣａ版４の上部内面を梁２に対して一体化するとともに、ＰＣａ版４の下端部は下階のＰＣａ版４との間にクリアランス５を確保し、またＰＣａ版４の側部内面と柱１の表面との間には絶縁材６を介装してＰＣａ版４と柱１とを絶縁することで、ＰＣａ版４の上部以外は躯体に対して固定することなく、それにより躯体が層間変形を生じた際にはＰＣａ版４は上階の梁２とともに横方向に変位してスウェイ可能とされている。
【００１２】
本実施形態におけるＰＣａ版４は、図４〜図６に示すように、上部内面側に段部７が形成されてそれよりも上部では版厚がやや薄くされ、そこには梁２に対して一体化するための接合部材としてのトラス鉄筋８が半埋設状態で取り付けられている。トラス鉄筋８はＰＣａ版４に埋設されている鉄筋８ａと、梁４に埋設される鉄筋８ｂと、それらを連結しているジグザグ状の鉄筋８ｃからなり、後述のようにＰＣａ版４の上部を梁型枠の一部として機能させてその内側にコンクリートを直接的に打設して梁２を形成することにより、その梁２はトラス鉄筋８を介して確実にＰＣａ版４と一体化し、かつ段部７に係合した状態で形成されるようになっている。
【００１３】
また、このＰＣａ版４の上端面には、上階に設けられる他のＰＣａ版４の施工の際にそれを支持してレベル出しするための支持具９が設けられている。本実施形態における支持具９は、アンカー９ａにより定着したインサート９ｂにレベルボルト９ｃが螺着可能に構成され、かつそのインサート９ｂには、図７に示すようにこのＰＣａ版４を吊り上げる際に用いる吊環１０がレベルボルト９ｃに代えて螺着可能とされている。
【００１４】
また、ＰＣａ版４の上端面および下端面には、上下のＰＣａ版４どうしの変位を規制する対の係合具１１が設けられている。本実施形態における係合具１１は、ＰＣａ版４の上端面に突出するピン１１ａと、そのピン１１ａの直下に位置してＰＣａ版４の下端面に形成された面内方向に長い溝１１ｂから構成され、図３に示したように、上階のＰＣａ版４の下端面の溝１１ｂ内に下階のＰＣａ版４の上端面のピン１１ａが挿入されてそれらが係合することにより、双方のＰＣａ版４どうしの面内方向の相対変位（すなわちスウェイ）が溝１１ｂの長さの範囲内で許容されつつ、それらの面外方向への相対変位は拘束されるようになっている。
【００１５】
本実施形態の構造の外壁を施工するには、図８に示すように施工階の下階までの施工が完了した状態から、図９に示すように柱鉄筋２０を組み立て、図７に示したようにＰＣａ版４をクレーンにより吊り上げて、図１０に示すように施工階に建て込む。この際、ＰＣａ版４のレベル出しは下階の施工済みのＰＣａ版４の上端面に螺着しておいたレベルボルト９ｃにより行い、ＰＣａ版４の荷重をそのレベルボルト９ｃおよび適宜のライナー１２により支持するとともに、転倒防止のための仮設サポート２１を設ける。なお、図７に示したようにＰＣａ版４の内面の両側部には予め絶縁材６を取り付けておくと良いが、ＰＣａ版４を建て込んでから絶縁材６を取り付けるようにしても良い。また、ＰＣａ版４を建て込んだ後には吊環１０を取り外し、それに代えてレベルボルト９ｃをインサート９ｂに装着しておく。
【００１６】
そして、図１１に示すようにＰＣａ版４の内側に柱型枠２２、梁型枠２３、床型枠２４を組み立て、梁鉄筋および床鉄筋（図示略）の配筋を行った後、コンクリートを打設する。養生後に各型枠を解体すれば図１に示した構造で当階の躯体および外壁が施工されるから、上階において同様の作業を繰り返し、適宜の仕上げを行う。
【００１７】
上記のＰＣａ版４を用いて上記の手順で施工することにより、従来のように特殊にして高価なファスナーを必要とすることなく、またＰＣａ版４を支障なくスウェイ可能な状態で確実に設置することが可能であり、その施工も何等面倒ではないから、従来に較べて施工性を大きく向上させることができ、充分なコスト削減を図ることができる。
【００１８】
なお、上記はＲＣ造の建物への適用例であるが、本発明はＳＲＣ造の建物にも同様に適用可能であり、少なくともカーテンウォールとしてＰＣａ版４を採用し、かつ梁２がＲＣ造もしくはＳＲＣ造（すなわちコンクリートの現場打ちによって梁２を形成する構造）である限りにおいて、それ以外の各部の構造は任意であるし、躯体各部の形状や寸法、平面プランも任意である。
【００１９】
たとえば図１２〜図１３はバルコニー３０を有する場合の適用例を示すもので、図１２はバルコニー３０が現場打ちの例、図１３はバルコニー３０をＰＣａ版により形成した場合の例を示すものであるが、いずれも、支持具９としてのレベルボルト９ｃをバルコニー３０の版厚に応じた適正な長さのものを適宜ジョイントして用いることで、上記と同様の構造、手順にて施工することができる。
【００２０】
また、上記では支持具９を構成しているインサート９ｂにレベルボルト９ｃと吊環１０とを選択的に装着するものとし、したがってインサート９ｂはアンカー９ａにより充分な定着強度を持たせるようにしたが、たとえば図１４〜図１５に示すようにＰＣａ版４の上部の版厚が薄いような場合には、段部７に吊環１０を螺着するためのインサート３１をアンカー３２により定着して設ければ良く、その場合にはＰＣａ版４の上端面に設けたインサート９ｂ（それにはアンカーは不要である）にはレベルボルト９ｃのみを螺着すれば良い。
【００２１】
また、上記ではＰＣａ版４と梁２とを一体化するための接合部材としてトラス鉄筋８を採用したが、ＰＣａ版４と梁２の双方に跨ってそれらに埋設されることで強固に接合し得るものであれば良く、接合部材としてはたとえばスタッドやシアーコッター等も含めて適宜の構造、形態のものが採用可能であるし、その設置位置や所要数も適宜設計すれば良い。また、上記ではＰＣａ版４の上部内側に段部７を設けてそれよりも上部の版厚を薄くしたが、必ずしもそうすることはなく、全体にわたって均一な版厚のＰＣａ版としても良い。
【００２２】
勿論、支持具９の構成は上記実施形態におけるインサート９ｂとレベルボルト９ｃとによるものに限定されることはないし、係合具１１の構成は上記実施形態におけるピン１１ａと溝１１ｂとよるものに限定されることはなく、いずれも適宜の設計的変更が可能である。
【００２３】
【発明の効果】
請求項１の発明の外壁の構造は、ＰＣａ版の上部のみを上階の梁の側部に一体化してスウェイ可能な状態で取り付ける構造であるので、特殊にして高価なファスナーを必要とすることなく、またＰＣａ版を支障なくスウェイ可能な状態で確実に設置するることが可能であり、その施工も何等面倒ではなく、したがって従来に較べて施工性を大きく向上させることができ、充分なコスト削減を図ることができる。
【００２４】
請求項２の発明の施工方法は、接合部材を設けたＰＣａ版を建て込んで仮支持し、ＰＣａ版の側部内面に絶縁材を設け、ＰＣａ版の側部内側に柱型枠を組み立てるとともに上部内側に梁型枠を組み立て、柱型枠内および梁型枠内にコンクリートを打設するようにしたので、ＰＣａ版の上部を梁とを自ずと確実強固に一体化でき、またＰＣａ版と柱とが自ずと絶縁され、上記構造の外壁を容易にかつ効率的に施工することができる。
【００２５】
請求項３の発明のＰＣａ版は、接合部材としてのトラス鉄筋と、上階のＰＣａ版を支持してレベルを設定するための支持具と、上下のＰＣａ版どうしの変位を規制するための対の係合具を有するので、これを用いることで上記構造の外壁を容易に施工することができる。特に、請求項４の発明のＰＣａ版はインサートにボルトおよび吊環を螺着可能な構成の吊具を採用したので、簡単な構成で充分な支持機能を有し、請求項５の発明のＰＣａ版は面内方向に長い溝とその溝に挿入されるピンとによる係合具を採用したので、簡単な構成で充分な変位規制機能を備え、上記構造の外壁を施工する際に採用して最適である。
【図面の簡単な説明】
【図１】本発明の外壁の構造の一実施形態を示す立断面図である。
【図２】同、平面図である。
【図３】同、立面図である。
【図４】本発明のＰＣａ版の一実施形態を示す斜視図である。
【図５】同、部分側断面図である。
【図６】同、部分正面図である。
【図７】同、揚重状態を示す図である。
【図８】本発明の施工方法の一実施形態を示す図であって、施工階における施工開始時点の状態を示す図である。
【図９】同、柱鉄筋を組み立てた状態を示す図である。
【図１０】同、ＰＣａ版を建て込んで仮支持した状態を示す図である。
【図１１】同、柱型枠および梁型枠を組み立てた状態を示す立面図である。
【図１２】本発明の外壁の構造の他の実施形態を示す立断面図である。
【図１３】同、さらに他の実施形態を示す立断面図である。
【図１４】本発明のＰＣａ版の他の実施形態を示す要部側断面図である。
【図１５】同、揚重状態を示す図である。
【符号の説明】
１  柱
２  梁
３  スラブ
４  ＰＣａ版
５  クリアランス
６  絶縁材
７  段部
８  トラス鉄筋（接合部材）
８ａ〜８ｃ  鉄筋
９  支持具
９ａ  アンカー
９ｂ  インサート
９ｃ  レベルボルト
１０  吊環
１１  係合具
１１ａ  ピン
１１ｂ  溝
２０  柱鉄筋
２１  仮設サポート
２２  柱型枠
２３  梁型枠
２４  床型枠
３０  バルコニー
３１  インサート
３２  アンカー
【図１】
2005016077.tif 000003
【図２】
2005016077.tif 000004
【図３】
2005016077.tif 000005
【図４】
2005016077.tif 000006
【図５】
2005016077.tif 000007
【図６】
2005016077.tif 000008
【図７】
2005016077.tif 000009
【図８】
2005016077.tif 000010
【図９】
2005016077.tif 000011
【図１０】
2005016077.tif 000012
【図１１】
2005016077.tif 000013
【図１２】
2005016077.tif 000014
【図１３】
2005016077.tif 000015
【図１４】
2005016077.tif 000016
【図１５】
2005016077.tif 000017